(57)【要約】      （修正有）【課題】商品見本に装着した場合の安定性に優れ、装着方法が簡易且つ単純であり、且つ多数の広告表示形態を選択可能で高い広告効果を発揮しうる自動販売機商品見本用広告体を提供する。【解決手段】可撓性を有するシート体１１から一体に形成され、広告表示部１２と、前記広告表示部１２に折り曲げ自在に延設された装着部１３と、前記装着部１３の先端から、前記装着部１３の面方向外方に延設された舌片部１４とを備えると共に、前記装着部１３には直線状のスリット部１５が形成され、前記舌片部１４を前記装着部１３側に折り返して、前記舌片部１４の先端部を前記スリット部１５に挿入した状態において、前記舌片部１４と前記装着部１３とで、前記商品見本２０の端縁部を挟持することによって、前記商品見本２０に装着しうる構成とする。【選択図】図３
2013246603.tif 000002
【特許請求の範囲】
【請求項１】
自動販売機の商品見本に着脱自在に装着される広告体であって、
可撓性を有するシート体から一体に形成され、
広告表示部と、前記広告表示部に折り曲げ自在に延設された装着部と、前記装着部の先端から、前記装着部の面方向外方に延設された舌片部とを備えると共に、前記装着部には直線状のスリット部が形成され、
前記舌片部を前記装着部側に折り返して、前記舌片部の先端部を前記スリット部に挿入した状態において、前記舌片部と前記装着部とで、前記商品見本の端縁部を挟持することによって、前記商品見本に装着しうることを特徴とする商品見本用広告体。
【請求項２】
前記スリット部の両端には、前記舌片部に向かって、一対の切り込みが設けられていることを特徴とする請求項１記載の商品見本用広告体。
【請求項３】
前記舌片部は平面略半円形に形成されていることを特徴とする請求項１又は請求項２に記載の商品見本用広告体。
【請求項４】
前記舌片部の基端部両端近傍には、前記舌片部の折り返し線に沿って、一対の補助切り込みが設けられていることを特徴とする請求項３に記載の商品見本用広告体。
【請求項５】
前記シート体は、合成樹脂製であることを特徴とする請求項1から請求項４いずれか１項に記載の商品見本用広告体。
【請求項６】
前記商品見本は、半割状に形成され、前記装着部は、前記商品見本の半割端縁部に装着されることを特徴とする請求項１から請求項５いずれか１項に記載の商品見本用広告体。
【発明の詳細な説明】
【技術分野】
【０００１】
本発明は、自動販売機の商品見本に装着される商品見本用広告体に関する。
【背景技術】
【０００２】
一般的に、飲料等の自動販売機には、販売対象製品の容器外観形状を模した、略円筒形、若しくは半割略円筒形等の商品見本を展示する、商品展示部が設けられている。
販売商品を購入する場合、商品購入者は、前記商品展示部に展示された、前記商品見本を視認して購入商品を選定後、前記商品見本に対応して配置された購入ボタン等を選択することによって、所望の商品を購入する。
【０００３】
前記商品見本の外観は、購入者の商品選択判断の為の、重要な要素であり、特に同一種、若しくは類似種の商品が複数販売される場合、より商品購入者に対して強いインパクトを与える商品見本の商品が選択される可能性が高い。
従って、販売メーカーにあっては、自社の推奨製品の販売促進目的等は勿論のこと、昨今増加しつつある、複数のメーカーの商品が販売される所謂マルチベンダー型の自動販売機において、商品購入者に自社製品を選択してもらう為に、商品見本の外観形状等に種々の工夫を施している。
【０００４】
商品見本に対する工夫例としては、特開２００６−０５９０６４号に開示された発明のように、合成樹脂からなり、商品容器を半割した形状に形成された商品見本であって、前記商品見本の側縁部と上縁部には、正面方向から視認可能に延出部を設けられ、この延出部を、前記商品見本を設置する自動販売機の商品展示部の背面色とは異なる色を施す、若しくは前記延出部に販売促進情報表示した自動販売機用の商品見本が提案されている（特許文献１）。
【０００５】
前記特許文献１に係る発明にあっては、商品見本自体に販売促進情報等を表示することによって、他の販売商品との差別化が図られ、消費者の購入意欲を高めることができるという利点を有する。
しかしながら、特許文献１に係る発明は、商品見本自体に延設部が設けられ、当該延設部に装飾若しくは販売促進情報が表示される形態であり、装飾内容、販売促進情報等を変更する場合には、都度新規に商品見本を製作する必要があることから、商品見本のコスト高につながるという不具合を有していた。
また、前記延設部に販売促進情報等を表示するシール等を貼着する方法もあるが、剥離作業等が必要であり、商品見本の交換作業が煩雑となるという別途の不具合を有していた。
【０００６】
一方、特開２００９−９９１５５号に開示された発明のように、広告文を表示する広告表示部と、前記広告表示部の下方に配置され、商品見本に装着するための水平方向の直線で形成されてなる切込み部を備える装着部とから形成され、半割状の商品見本の上面部を、前記切込み部に挿入することによって、前記商品見本に着脱可能に装着しうる形態の商品見本広告シート体が提案されている（特許文献２）。
【０００７】
図６（ａ）に示すように、特許文献２の発明に係る商品見本広告シート７０は、横長の略長方形に形成された広告表示部７１と、前記広告表示部７１の幅方向一端部に配設され、商品見本８０に装着するための切り込み７２が前記広告表示部の長さ方向に沿って形成された装着部７３とを備えている。
図６（ｂ）又は（ｃ）に示すように、半割状に形成された商品見本８０に、前記商品見本広告シート７０を装着する場合には、前記切り込み７２に、半割状の前記商品見本８０の上端面部８１を、半割端縁から差し入れて固定する。
また、図６（ｄ）に示すように、商品見本８０の上端面部８１の幅寸法が、前記装着部７３の切り込み７２の長さ寸法よりも短い場合には、前記切り込み７２を拡開させ、前記商品見本の上端部を、前記拡開させた切り込み７２内に挿入して、嵌号させることによって固定することもできる。
【０００８】
前記特許文献２に係る発明にあっては、販売促進対象の商品の商品見本にのみに対し、簡易な作業で広告シートを装着することが可能であることから、広告シートの装着作業を行う自動販売機の営業担当者等の作業負担を軽減することが可能である。
また、広告文を変更する場合には、前記商品見本を展示したままの状態で、広告シートのみを交換することができることから、商品見本の製作コストについても、低減することが可能である。
【０００９】
しかしながら、図６（ｂ）、（ｃ）に示す形態にあっては、前記商品見本広告シート７０は、切り込み７２の切り込み線に沿って、前記商品見本８０の上端面部８１に線接触の状態で保持されているに過ぎず、装着時の安定性に欠け、時間の経過によりゆがみ等が生じる虞があった。
また、図６（ｄ）に示す形態の場合、切り込み７２を拡開させながら、前記商品見本の上端部を前記切り込み７２内に挿入して装着する必要がある。
従って、商品見本８０の形態によっては装着操作が異なり、前記商品見本広告シート７０の装着作業が煩雑であると共に、誤って切り込み７２の両端を破損してしまう虞もあった。
更に、前記装着部７３が、前記広告表示部７１の下方に配置されており、切り込み７２に広告表示部７１の大きさ、および形状は、装着時の安定性を保持するため、一定の範囲に限定されることから、得られる広告効果についても限定的となるという別途の不具合をも有していた。
【特許文献１】特開２００６−０５９０６４号公報
【特許文献２】特開２００９−９９１５５号公報
【発明の開示】
【発明が解決しようとする課題】
【００１０】
本発明が解決しようとする課題は、商品見本に装着した場合の安定性に優れ、装着方法が簡易、且つ単純であり、更に、多数の広告表示形態を選択可能で、且つ高い広告効果を発揮しうる自動販売機の商品見本用広告体を提供することにある。
また、本発明が解決しようとする他の課題は、より低コストで制作可能な商品見本用広告体を提供することにある。
【課題を解決するための手段】
【００１１】
前記課題を解決するため、請求項１の発明に係る商品見本用広告体は、可撓性を有するシート体から一体に形成され、広告表示部と、前記広告表示部に折り曲げ自在に延設された装着部と、前記装着部の先端から、前記装着部の面方向外方に延設された舌片部とを備えると共に、前記装着部には直線状のスリット部が形成され、前記舌片部を前記装着部側に折り返して、前記舌片部の先端部を前記スリット部に挿入した状態において、前記舌片部と前記装着部とで、前記商品見本の端縁部を挟持することによって、前記商品見本に装着しうることを特徴とする。
【００１２】
請求項１の発明にあっては、前記スリット部に挿入した前記舌片部には、シート体の可撓性により、折り返し方向とは逆方向へ復元力が作用し、この結果、前記舌片部が前記装着部に強く押し付けられた状態となる。
従って、前記舌片部と前記装着部との間に挟持力が生じ、前記商品見本の端縁部を前記舌片部と前記装着部との間に差し込むことによって、前記挟持力により、前記装着部を前記商品見本の端縁部に固定することができる。
【００１３】
また、請求項２の発明に係る商品見本用広告体は、前記スリット部の両端には、前記舌片部に向かって、一対の切り込みが設けられていることを特徴とする。
【００１４】
従って、前記舌片部を、前記装着部に向かって折り返した場合、前記切り込みに沿って、前記スリット部が拡開することから、前記舌片部を前記スリット部に挿入する操作が行い易くなる。
【００１５】
また、請求項３の発明に係る商品見本用広告体は、前記舌片部は平面略半円形に形成されていることを特徴とする。
従って、前記舌片部を前記スリット部に速やかに挿入することができる。
【００１６】
また、請求項４の発明に係る商品見本用広告体は、前記舌片部の基端部両端近傍に、前記舌片部の折り返し線に沿って、一対の補助切り込みが設けられていることを特徴とする。
従って、前記舌片部の折り返し操作が行い易くなる。
【００１７】
また、請求項５の発明に係る商品見本用広告体は、前記シート体は、合成樹脂製であることを特徴とする。
【００１８】
また、請求項６の発明に係る商品見本用広告体は、前記商品見本は、半割状に形成され、前記装着部は、前記商品見本の半割端縁部に装着されることを特徴とする。
【発明の効果】
【００１９】
請求項１から請求項６の発明に係るにあっては、可撓性を有するシート体から一体に形成され、広告表示部と、前記広告表示部に折り曲げ自在に延設された装着部と、前記装着部の先端から、前記装着部の面方向外方に延設された舌片部とを備えると共に、前記装着部には直線状のスリット部が形成され、前記舌片部を前記装着部側に折り返して、前記舌片部の先端部を前記スリット部に挿入した状態において、前記舌片部と前記装着部とで、前記商品見本の端縁部を挟持することによって、前記商品見本に装着しうることから、前記商品見本は、前記舌片部と前記装着部とに、それぞれ面接触よって保持されるため、商品見本用広告体を装着した場合の安定性に優れている。
また、装着方法が極めて簡易、且つ単純であり、更に広告表示部の形状や表示形態等を限定する必要もなく、自由に調整できることから、多岐に亘る広告表示形態を選択可能である為、高い広告効果を発揮しうる商品見本用広告体を提供することができる。
【００２０】
また、請求項２から請求項４の発明にあっては、前記舌片部の折り返し操作と、スリット部への挿入操作を行い易くなることから、より短時間で商品見本に装着することが可能であり、装着作業者の負担がより軽減される。
【００２１】
また、請求項５の発明にあっては、前記シート体は合成樹脂から形成されていることから、成型加工、印刷加工等の作業が極めて容易であり、低コストで製造することが可能であると共に、軽量で、搬送作業も容易である。
更に、採用しうる合成樹脂材料としては、ポリエチレン、ポリプロピレン、ポリエチレンテレフタレート等、任意の素材を選択することが可能である。
【図面の簡単な説明】
【００２２】
【図１】本発明に係る商品見本用広告体の一実施の形態を示す平面図である。
【図２】本発明に係る商品見本用広告体の一実施の形態を示し、実施例の形態において、商品見本に取り付ける前の操作手順を示す斜視図である。
【図３】本発明に係る商品見本用広告体の一実施の形態を示し、実施例の形態において、半割状に形成された商品見本に装着した状態を示す斜視図である。
【図４】本発明に係る商品見本用広告体の一実施の形態を示し、実施例の形態において、半割状に形成された商品見本に装着した状態を示す側面図である。
【図５】本発明に係る商品見本用広告体の一実施の形態を示し、（ａ）は商品見本用広告体を装着した商品見本を展示した状態を示す正面図、（ｂ）は他の実施形態の商品見本用広告体を商品見本に装着した状態を示す正面図である。
【図６】従来の商品見本広告シート体の（ａ）は正面図、（ｂ）から（ｄ）はそれぞれ異なる形状の商品見本に装着した状態を示す斜視図である。
【発明を実施するための最良の形態】
【００２３】
以下、本発明の実施の形態を、一般的な飲料用ペットボトルを高さ方向に沿って半割状とした形態の商品見本に対して、本発明に係る商品見本用広告体を装着する場合を例として添付図面を用いて説明する。
【００２４】
図１に示すように、本実施の形態に係る商品見本用広告体１０は、可撓性を有する合成樹脂製のシート体１１から一体に形成され、広告表示部１２と、前記広告表示部１２に折り曲げ自在に延設された装着部１３と、前記装着部１３の先端から前記装着部１３の面方向外方に延設された舌片部１４とを備えると共に、前記装着部１３には直線状のスリット部１５が形成され、図２に示すように、前記舌片部１４を前記装着部１３側に折り返して、前記舌片部１４の先端部を前記スリット部１５に挿入した状態において、図３に示すように前記舌片部１４と前記装着部１３とで、前記商品見本２０の上面部２０ａの半割端縁部２０ｂを挟持することによって、前記商品見本２０に装着しうるように構成されている。
また、図１に示すように、前記スリット部１５の両端には、前記舌片部１４に向かって、一対の切り込み１６，１６が設けられている。
また、図１に示すように、前記舌片部１４は、平面略半円形に形成されると共に、前記舌片部１４の基端部１４ａの両端近傍には、前記舌片部１４の折り返し線に沿って、一対の補助切り込み１７、１７が設けられている。
【実施例】
【００２５】
前記形態における実施例について以下添付図面を用いて詳述する。
図１は本実施例に係る商品見本用広告体１０の平面図である。
図１に示すように、本実施例においては、広告表示部１２は所定の幅寸法を有し、平面逆Ｌ字形に形成されている。
【００２６】
また、装着部１３は、前記広告表示部１２の短辺１２ａの長さ方向に沿って、折り曲げ線１８を介して延設されている。
また、舌片部１４は、前記装着部１３の先端縁部に沿って延設されると共に、前記舌片部１４の基端部両端１４ａ、１４ａの近傍には、前記舌片部１４を前記装着部１３に向かって折り返す際の折り返し線に沿って、一対の補助切り込み１７、１７が夫々所定長に亘って形成されている。
【００２７】
また、前記広告表示部１２の表面には、所定の図絵により広告情報が印刷等の手段で表示されている。また、図１に示すように、前記広告表示部１２には、必要に応じて装飾形状部１２ｂを設けることもできる。
【００２８】
以下実施例の作用について添付図面を用いて説明する。
本実施例に係る商品見本用広告体１０を商品見本２０に装着する操作は以下の通りとなる。
図２は、本発明に係る商品見本用広告体１０を商品見本に取り付ける前の操作手順を示す斜視図である。
図２に示すように、前記装着部１３を、図中矢印Ａの方向に、前記折り曲げ線１８で、前記広告表示部１２に対して９０度折り曲げる。
更に、前記舌片部１４を図中矢印Ｂに示すように、前記補助切り込み１７、１７に沿って、前記装着部１３に向かって折り返し、前記切り込み１６，１６によって拡開されたスリット部１５に、前記舌片部１４の先端部を挿入し、前記舌片部１４を前記装着部１３の裏面側に重ね合わせた状態に配置する。
この際、折り返された前記舌片部１４には復元力が作用し、前記舌片部１４は、図中矢印Ｃに示すように、前記装着部１３の裏面側に押し付けられるように付勢され、この結果、前記舌片部１４と前記装着部１３との間に挟持力が生じる。
【００２９】
また、図３は、本発明に係る商品見本用広告体１０を自動販売機の商品展示部３０に載置された半割状に形成された商品見本２０に装着した状態を示す斜視図である。
図３に示すように、本実施例に係る商品見本２０は、一枚の合成樹脂シート体から一体成型によって製造され、清涼飲料水等のペットボトル容器を、高さ方向に半割した形状に形成されている。
前記商品見本２０に前記商品見本用広告体１０を装着する場合には、前記商品見本２０の上面部２０ａの半割端縁部２０ｂを、図中矢印Ｄの方向から、前記舌片部１４と、前記装着部１３の間に挿入すると共に、前記広告表示部１２を、前記商品見本２０の外周部に沿って配置されるように位置を調整する。
また、図４は、本発明に係る商品見本用広告体１０を半割状に形成された商品見本２０に装着した状態を示す側面図である。
図４に示すように、前記商品見本２０の上面部２０ａは、前記舌片部１４と、前記装着部１３の裏面側との間に配置されると共に、前記舌片部１４と前記装着部１３との間に生じた付勢力によって強固に固定される。
従って、前記商品見本２０への装着、および脱着操作が極めて簡単であり、自動販売機への商品補充作業時に合わせて、装着、脱着を行う場合であっても、作業者への負担が少なくて済む。
【００３０】
また、本実施例に係る商品見本用広告体１０は、一枚の合成樹脂シート体１１に所定の広告情報を印刷、シール貼付等の任意手段により表示し、前記装着部１３、舌片部１４および所望形状の広告表示部１２に合わせて、前記合成樹脂シート体１１切断することによって製造することが可能であり、立体的な成型加工等は不要である。
従って、低コストで製造可能であると共に、多数のシート体を重ね合わせた状態で搬送することが可能であることから、搬送費用についても低減可能である。
更に、前記広告表示部１２への表示情報および、形状、および装飾形上部１２ｂの形状等については、図５(ａ)、（ｂ）に示すように、商品見本２０の外観形状、自動販売機の商品展示部３０内における配置形態等に合わせて、自在に変更することができる。
従って、バリエーションに富んだ広告表示が可能であり、販売促進効果も高い。
また、前記のとおり、商品見本用広告体１０の着脱も容易であることから、商品見本２０を配置したままであっても、容易に広告形態の変更を行うことができる。
【００３１】
なお、本実施例においては、清涼飲料のペットボトル容器形状の商品見本を例として説明したが、装着部１３と舌片部１４の間に差し込み可能な薄面部分を備えていれば、商品見本の全体の外観形状は特に限定されず、例えば、缶容器、箱状容器等であっても、適用可能であり、その場合であっても、本実施例と同様の作用および効果を得ることが可能である。
【産業上の利用可能性】
【００３２】
本発明は、自動販売機の商品見本に装着される商品見本用広告体に適用することができる。
【符号の説明】
【００３３】
１０  商品見本用広告体
１１  シート体
１２  広告表示部
１２ａ広告表示部の短辺
１２ｂ装飾形状部
１３  装着部
１４  舌片部
１４ａ舌片部の基端部
１５  スリット部
１６  切り込み
１７  補助切り込み
１８  折り曲げ線
２０  商品見本
２０ａ商品見本の上面部
２０ｂ商品見本の半割端縁部
３０  自動販売機の商品展示部
７０  商品見本広告シート
７１  広告表示部
７２  切り込み
７３  装着部
８０  商品見本
８１  商品見本の上端面部
【図１】
2013246603.tif 000003
【図２】
2013246603.tif 000004
【図３】
2013246603.tif 000005
【図４】
2013246603.tif 000006
【図５】
2013246603.tif 000007
【図６】
2013246603.tif 000008